(57)【特許請求の範囲】
【請求項１】
開閉ソレノイドに連結された大入賞口開閉機構によって開口する大入賞口に入賞したパチンコ球が普通球通路またはラウンド継続球通路のいずれかを流れ、パチンコ球が該ラウンド継続球通路を経由することを次のラウンドの継続条件としているパチンコ機の入賞装置において、
前記普通球通路と前記ラウンド継続球通路とが分岐するところに振分け板を介挿し、該振分け板は前記開閉ソレノイドが励磁して前記大入賞口が開口するとこれに連動して入賞したパチンコ球が前記ラウンド継続球通路に流れやすい姿勢に傾動する振分け板傾動機構に連結すると共に、該振分け板傾動機構は、前記開閉ソレノイドが励磁するのに伴って移動するフックと、該フックに係合して前記振分け板をパチンコ球がラウンド継続球通路へ流れやすい姿勢に傾動する振分け板作動レバーと、前記ラウンド継続球通路を通過するパチンコ球により前記振分け板作動レバーの前記フックとの係合を解除して振分け板を前記普通球通路に流れやすい姿勢に復帰させる傾動解除レバーとを備えて、前記大入賞口を通して続けて入賞するパチンコ球を普通球通路に導くようにしてなることを特徴としたパチンコ機の入賞装置。
【請求項２】
パチンコ球が入賞すると所定の賞球を払出す普通入賞口と、抽選により開口して大当り状態の抽選を行う普通電役入賞口とが抽選によって開口する大入賞口に一体的に設けられていることを特徴とする請求項１に記載のパチンコ機の入賞装置。
【発明の詳細な説明】
【０００１】
【発明の属する技術分野】
この発明は、いわゆる大当たり状態の際に開口する大入賞口を有するパチンコ機の入賞装置に関する。
【０００２】
【従来の技術】
いわゆる大当たり状態の際に開閉扉を開いて大入賞口を開口する入賞装置では、複数個（例えば１０個）のパチンコ球の入賞を一ラウンドとして、複数ラウンド（例えば１６ラウンド）大入賞口を開閉ソレノイドを励磁して開口するように制御している。これらの入賞装置には、次のラウンドを継続するための条件を課して、遊技の興味を高めたパチンコ機が知られている。この種パチンコ機では、パチンコ球が経由する球通路を大入賞口内に複数通路設けて、特定の球通路（ラウンド継続球通路）を経由した場合にのみ次のラウンドを継続することを条件としている。
【０００３】
特開平７ー２７５４５２号公報では、大入賞口の奥に普通球通路とラウンド継続球通路を区画して設け、このラウンド継続球通路の入り口に開閉ソレノイドとは別個のソレノイドにより回転する回転体を設けている。この回転体の一部にはパチンコ球を通過させる通過口が設けられていて、その回転姿勢によってラウンド継続球通路への進入を可能としている。そして回転体の通過口を通過するパチンコ球によってソレノイドが励磁して、回転体を回転してラウンド継続球通路の入り口を閉鎖するように構成している。
【０００４】
また、振分け板を介して普通球通路とラウンド継続球通路とを振分け板により分岐して設けている入賞装置も知られている。この入賞装置では、パチンコ球がラウンド継続球通路を通過すると、開閉扉を開口する開閉ソレノイドとは別個に設けたソレノイドを励磁して、振分け板を普通球通路に流れやすい姿勢に傾動させている。
【０００５】
【発明が解決しようとする課題】
これら従来の入賞装置では、大入賞口を開閉する開閉ソレノイドを設けるとともに、さらに別個のソレノイドを励磁することによって、パチンコ球がラウンド継続球通路と普通球通路のいずれかを通過するように制御している。このため、入賞装置の構造が複雑になっていた。
【０００６】
そこで、請求項１、２の発明では、ラウンド継続球通路を通過したパチンコ球によって、振分け板を普通球通路に流れやすい姿勢に復帰させる、構造の簡単な入賞装置とすることを目的としている。
請求項３の発明では、大入賞口の他に普通入賞口と普通電役入賞口を一体的に設けた入賞装置とし、遊技盤の組付けを容易にすることを目的としている。
【０００７】
【課題を解決するための手段】
請求項１の発明では、普通球通路とラウンド継続球通路とが振分け板を介して分岐して設けられ、振分け板は開閉ソレノイドが励磁するとパチンコ球がラウンド継続球通路に流れやすい姿勢に傾動する振分け板傾動機構に連結され、振分け板傾動機構には、ラウンド継続球通路に流れるパチンコ球によって振分け板を普通球通路に流れやすい姿勢に傾動する傾動解除レバーを設けている。
【０００８】
この構成により、開閉ソレノイドが励磁すると、これに連結された大入賞口駆動機構によって大入賞口が開口する。同時に振分け板傾動機構に連結されている振分け板が傾動して、パチンコ球がラウンド継続球通路に流れやすい姿勢になる。パチンコ球がラウンド継続球通路を通過すると、傾動解除レバーは作動して普通球通路を流れやすい姿勢に戻る。
【００１０】
請求項３の発明では、パチンコ球が入賞すると所定の賞球を払出す普通入賞口と、抽選により開口して大当たり状態の抽選を行なう普通電役入賞口と、抽選によって開口する大入賞口が一体的に設けられている。このため、遊技盤に組み付ける作業を普通電役も同時にされる。
【００１１】
【発明の効果】
請求項１の発明では、普通球通路とラウンド継続球通路とが振分け板を介して分岐して設けられ、振分け板は前記開閉ソレノイドが励磁するとパチンコ球がラウンド継続球通路に流れやすい姿勢に傾動する振分け板傾動機構に連結され、振分け板傾動機構には、該ラウンド継続球通路に流れるパチンコ球によって振分け板を普通球通路へ流れやすい姿勢に傾動する傾動解除レバーを設けていることによって、ラウンド継続球通路を流れやすい姿勢に傾動している振分け板は、ラウンド継続球通路に流れるパチンコ球によって普通球通路に流れやすい姿勢に復帰するため、大入賞口の開閉動作と入賞したパチンコ球の振分け動作を事実上１個の開閉ソレノイドによって行うことができるものとなり、構造の簡単な入賞装置とすることができる。
【００１２】
請求項２の発明では、請求項１の発明の振分け板傾動機構は、大入賞口開口信号によって励磁する開閉ソレノイドと、開閉ソレノイドが励磁されることによって移動するフックに係合して振分け板をパチンコ球がラウンド継続球通路へ流れやすい姿勢に傾動する振分け板作動レバーと、ラウンド継続球通路を通過するパチンコ球により振分け板作動レバーのフックとの係合を解除して振分け板を普通球通路へ流れやすい姿勢に復帰する傾動解除レバーとを設けているために、さらに構造の簡単な入賞装置とすることができる。
【００１３】
請求項３の発明では、パチンコ球が入賞すると所定の賞球を払出す普通入賞口と、抽選により開口して大当たり状態の抽選を行なう普通電役入賞口と、抽選によって開口する大入賞口を一体的に設けているために、パチンコ機の構造を簡素にできてパチンコ機への組付けを容易に行なうことができる。
【００１４】
【発明の実施の形態】
次に、この発明の実施の形態を図１〜図１２を参照して説明する。
図１はパチンコ機の遊技盤１の概略正面図であって、従来のパチンコ機と同様に、上部に普通入賞口１０ａが取付けられていて、パチンコ球が入賞すると、所定の個数のパチンコ球が払い出されるようになっている。また中央に駆動入賞口１１が設けられていて、パチンコ球が入賞すると、所定の個数のパチンコ球が払い出されるとともに、大当たり状態になる抽選が行なわれる。
【００１５】
また、パチンコ球が駆動入賞口１１へ入賞して抽選により大当たり状態になると開口する入賞装置２が下部中央に取付けられている。この実施の形態における入賞装置２には、普通入賞口１０ｂ、１０ｃが設けられるとともに普通電役６も一体的に設けられている。また、遊技盤１の中央には、大当たりの抽選結果等を表示する液晶表示装置３が設けられている。
【００１６】
なお、遊技盤１の裏面には、上述した抽選や遊技の制御などを行なうメイン基板、パチンコ球の発射を行なうパチンコ球発射装置、パチンコ球を払い出すパチンコ球払出し装置などのパチンコ機に必要な装置が取付けられている。
入賞装置２は、図２に示すように、横長のベース板２０が取付ビス２１によって遊技盤１にビス止めされている。またベース板２０の中央に大入賞口２ａが設けられ、左右に普通入賞口１０ｂ、１０ｃと普通電役６の電役入賞口６ａが併せて設けられている。さらに、大入賞口２ａの上方には、パチンコ球が通過すると、普通電役６を駆動する抽選を行なうパチンコ球検出センサ１２が設けられている。
【００１７】
図３、図４に示すように、ベース板２０の背面には、ケース枠２２がビス止めされている。さらにこのケース枠２２の背面に裏ケース２３がビス止めされて、ケース枠２２及び裏ケース２３はベース板２０と一体化されている。
【００１８】
ベース板２０に開口する大入賞口２ａには、その下部左右両縁から突出して設けられた開閉扉支軸２５によって、開閉扉２６が回転自由に取付けられている。開閉扉２６は大当たり状態でない場合に大入賞口２ａを塞いで、パチンコ球が入賞できないようにされている。また、図３において、開閉扉２６の右端から開閉ピン２６ａが側方に突出して設けられて、後述する大入賞口開閉機構７に連結されている。そして、図４に示すように、大入賞口開閉機構７により開閉ピン２６ａを持上げた開口状態になった際には、この開閉扉２６が前方に回転転倒して、その先端がベース板２０から突出するように設けられている。これによって上方から流れてくるパチンコ球を開閉扉２６で受け止めて大入賞口２ａ内に誘導するように形成されている。
【００１９】
そして、大入賞口２ａ内に誘導されたパチンコ球は、図３に球通路ａで示すように、ケース枠２２に形成した球通過孔２２ａを流下して、振分け板支軸３０（図６参照）に傾動可能に取付けられた振分け板３１上に流れる。この振分け板３１は、後述する振分け板傾動機構８に連結されていて、振分け板傾動機構８によって普通球通路ｂ又はラウンド継続球通路ｃのいずれかに振り分けられて流れるようにされている。なお、普通球通路ｂには、図５に示すように球数検出センサＢが、ラウンド継続球通路ｃには球数検出センサＣが設けられている。球数検出センサＢ及び球数検出センサＣは、普通球通路ｂ、ラウンド継続球通路ｃを通過するパチンコ球をそれぞれ検出し、この検出信号に基づいて図示しない賞球の払出しを行なう賞球払出し機構を駆動する。また同時に、この検出信号に基づいてパチンコ球の数をカウントするカウント機構によってカウントされ、パチンコ球の合計数が１０個になると、開閉扉２６を閉じる信号が発せられて一ラウンドを終了するように制御されている。さらに、球数検出センサＣは、ラウンド継続球通路ｃに一個のパチンコ球が通過すると、次のラウンドを継続して最大１６ラウンドまで継続する制御が行なわれるようにされている。
【００２０】
さて、上述した大入賞口開閉機構７及び振分け板傾動機構８は、ともに裏ケース２３に取付けられた一個の開閉ソレノイド３２によって励磁するように形成されている。
すなわち、大入賞口開閉機構７は図３に、振分け板傾動機構８は図７に示すように、開閉ソレノイド３２の励磁によって進退するプランジャ３３と、この先端に形成したフランジ３３ａに係合する連係片３４と、この連係片３４に形成した係合溝３４ａに係合する作動片３６と、を共通部材としている。そして、作動片３６は略Ｌ字形状とされ、その一側から直交して突出形成された作動ピン３６ａが係合溝３４ａに係合して、回転支軸３５（図５参照）を回転中心としてプランジャ３３の進退に伴って所定の角度だけ回転される。
【００２１】
作動片３６の作動ピン３６ａを設けた側の一端には、係合突片３６ｂがさらに突設されて、プランジャ３３の進退に伴って左右に移動して、振分け板傾動機構８側を構成している。また、作動片３６の他端側には作動突起３６ｃが直交して形成され、プランジャ３３の進退に伴って上下に移動して、大入賞口開閉機構７側を構成している。
【００２２】
大入賞口開閉機構７側では、図４に示すように、ケース枠２２に固定された支軸３７に作動レバー３８が回転自由に取付けられている。作動レバー３８は、一端に作動突起受入凹部３８ａが作動突起３６ｃに係合して形成され、作動突起３６ｃの上下動に伴って上下動するように連結されている。また、作動レバー３８の他端には、開閉ピン２６ａに係合する開閉ピン受入凹部３８ｂが形成されていて、開閉ピン２６ａに係合して作動突起３６ｃの上下動に伴って作動レバー３８を上下動するように連結されている。すなわち、図示しないメイン基板からの大入賞口開口信号によって開閉ソレノイド３２が励磁し、プランジャ３３が退縮すると、開閉ピン２６ａが連係して上側に持ち上げられて、開閉扉２６を回転転倒させる。これにより大入賞口２ａが開口してパチンコ球を受け入れ可能な状態になる。
【００２３】
開閉扉２６が回転転倒して大入賞口２ａを開口することによって、遊技盤１面を流下してきたパチンコ球は、開閉扉２６で受け止められて大入賞口２ａ内に誘導される。すなわち、大入賞口開閉機構７は、開閉ソレノイド３２、プランジャ３３、連係片３４、作動片３６、作動レバー３８及び開閉扉２６の一連の部材を連結することによって構成されている。
【００２４】
振分け板傾動機構８は、図７、図８に示すように、ケース枠２２内に回転可能に取付けられた振分け板３１を傾動させる機構であって、開閉ソレノイド３２が励磁することによってプランジャ３３、連係片３４、作動片３６とともに  フック連接板４０、フック４２、振分け板作動レバー４４などが連係作動する構成によって振分け板３１を傾動し、また、ラウンド継続球通路ｃを通過するパチンコ球によって、その傾動姿勢を解除する機構である。
【００２５】
すなわち、裏ケース２３に形成されたスライドガイド２３ａにその両側が支持されてスライド可能にフック連接板４０が取付けられている。フック連接板４０には、一端側に前述した係合突片３６ｂの先端が挿入される挿入孔４０ａが設けられるとともに、他端側には連結軸４１を挿通する軸孔が形成されている。この連結軸４１を共通にしてフック４２が軸着されている。
【００２６】
フック４２は、連結軸４１により中央で軸着されていて、図８における右側に傾斜板作動レバー４４の先端を挿入するフック孔４２ａが形成されている。また、左側にケース枠２２内へ突出する回転ピン４２ｂが設けられている（図７参照）。
【００２７】
また、振分け板３１を回転自由に支持する振分け板支軸３０にＬ字状の振分け板作動レバー４４が軸着されている。振分け板作動レバー４４の一方は、フック係止片４４ａとされ、先端に形成した係止切欠４４ｂがフック孔４２ａの口縁に係合している。また、振分け板作動レバー４４の他方の先端部には、係合孔４４ｃが設けられて、振分け板作動ピン３１ａの先端が係合している。これにより、フック連接板４０が図８において左側にスライドすると、図９に示すように、振分け板作動レバー４４が反時計方向に回転して振分け板作動ピン３１ａを持ち上げ、右下がりの振分け板３１を左下がりに傾動する。これにより、振分け板３１上でパチンコ球はラウンド継続球通路ｃへ流れやすくなる。このようにして、開閉ソレノイド３２が励磁すると、図３に示すように、大入賞口２ａに入賞したパチンコ球は、球通過孔２２を経由する球通路ａを経て、振分け板３１によってラウンド継続球通路ｃへ振り分けられる。
【００２８】
図６、図７に示すように、ケース枠２２内に設けたラウンド継続球通路ｃには、Ｌ字状の傾動解除レバー４５の球検出片４５ａが設けられている。傾動解除レバー４５は、ラウンド継続球通路ｃを通過するパチンコ球が球検出片４５ａを押して時計方向に回転するように支軸４６に回転自由に取付けられている。また、傾動解除レバー４５の他方が、フック押圧片４５ｂとされ、この下方に前述した回転ピン４２ｂが配設されている。このため、ラウンド継続球通路ｃを通過するパチンコ球が球検出片４５ａを押して通過していくと、傾動解除レバー４５は時計方向に回転して、フック押圧片４５ｂによって回転ピン４２ｂを押し下げる。このため、図９に示している姿勢のフック４２が、連結軸４１を回転中心として図１０に示すように時計方向に回転する。そして、フック孔４２ａと係合しているフック係止片４４ａは、その係合が解除されて、時計方向に回転して振分け板３１を最初の右下がりの姿勢に復帰する。
【００２９】
普通電役６は、図２に示すように、球受口ケース６０の中央位置に左右に傾動する振分けレバー６１がベース板２０に取付けられていて、この振分けレバー６１が左右に傾動することによって、パチンコ球が流下するアウト球通路Ｘと入賞球通路Ｙとに振分けられるように構成されている。そして入賞球通路Ｙ内には、図示しない球検出センサが配設されていて、パチンコ球が入賞球通路Ｙを流下すると、駆動入賞口１１に入賞した場合と同様に、大当たり状態になる抽選が行なわれるようにされている。
【００３０】
この振分けレバー６１の駆動する機構は次の通りである。左右に設けられた普通電役入賞口１２ａ、１２ｂ内をパチンコ球が通過する際に（図１参照）、図示しない球通過検出センサが発する入力信号に基づいて抽選が行なわれ、当たりとなったときに、裏ケース２３に取付けられている電役ソレノイド６２（図５参照）が短時間、例えば０．５秒の間励磁するように制御されている。図１２に示すように、電役ソレノイド６２には、進退可能に設けられている電役プランジャ６３と、この電役プランジャ６３の先端に一体的に取付けられてこの進退に伴って移動する電役連係片６４が取付けられている。この電役連係片６４には、連係杆６５の一端がこの電役連係片６４の移動に伴って約９０度正逆回転するように連結されている。そして電役連係杆６５の他端に電役振分けレバー６１が連結していて、当たり信号によって、電役ソレノイド６２が励磁して電役プランジャ６３を短時間退縮して、電役振分けレバー６１の回転によって球流下通路Ｙが短時間開口される。
【００３１】
次に、この実施の形態の作用について説明する。
まず、大当たり状態になる前は、図８に示すように、開閉ソレノイド３２が励磁していないためにプランジャ３３が進長した状態となっていて、作動片３６の作動突起３６ｃが上部の位置にある。このため、図１１に示すように、作動レバー３８の開閉ピン受入凹部３８ｂは、下方位置にあって、開閉ピン２６ａを下方に押さえているため、開閉扉２６は、大入賞口２ａを塞ぐ起立姿勢を維持し、パチンコ球が入賞できない状態に維持されている。
【００３２】
また同時に、図８において作動片３６の係合突片３６ｂが係合しているフック連接板４０、フック４２も右方に配置され、これにより振分け板作動レバー４４によって振分け板作動ピン３１ａが下方に位置している。このため、振分け板３１は右下がりに傾斜して配置されている。駆動入賞口１１にパチンコ球が入賞すると抽選が行なわれて、大当たりになると、開閉ソレノイド３２が励磁されてプランジャ３３が退縮した図９に示す状態になり、作動片３６が回転する。
大入賞口開閉機構７では、作動突起３６ｃが下部の位置に回転する（図４参照）。すると、作動レバー３８の開閉ピン受入凹部３８ｂが、上方位置となって開閉ピン２６ａを持ち上げ、開閉扉２６が回転転倒して大入賞口２ａを開口する。すなわち、パチンコ球を受入れ可能な状態になり、大当たりの第１ラウンドが開始される。
【００３３】
また同時に、振分け板傾動機構８では、図８において作動片３６の係合突片３６ｂによりフック連接板４０、フック４２が左側にスライド移動して、振分け板作動レバー４４が時計方向に回転して振分け板作動ピン３１ａを上昇する。このため、振分け板３１は左下がりの姿勢に傾動して、パチンコ球をラウンド継続球通路ｃへ流れやすくする。
【００３４】
そして、開閉扉２６により受け止められて大入賞口２ａ内に誘導された最初のパチンコ球は、図３の球通路ａで示すように、球通過孔２２ａを通って、振分け板３１の傾斜方向に誘導されてラウンド継続球通路ｃへ流れる。そして、ラウンド継続球通路ｃ内に設けられた球数検出センサＣによってパチンコ球が通過したことが検出され、さらに球検出片４５ａに当たって入賞装置２から排出されていく。そして、球数検出センサＣによる検出情報によって、次の第２回目のラウンドを継続することが約束される。
【００３５】
パチンコ球がラウンド継続球通路ｃを通過する際に、球検出片４５ａが押されて傾動解除レバー４５は、図１０に示すように時計方向に回転され、フック押圧片４５ｂによってフック４２が反時計方向に回転する。これにより、フック４２に係合していた振分け板作動レバー４４はその係合が解除されて、元の姿勢に復帰し、振分け板３１は右下がり、すなわち普通球通路ｂへ流れやすい姿勢に保持される。そして、この姿勢を維持する振分け板３１によって、球通路ａ内に流れてきた後続のパチンコ球は、普通球通路ｂへ流れて、球数検出センサＢ内を通って排出される。
【００３６】
球数検出センサＢ及び球数検出センサＣを通過するパチンコ球の数がそれぞれ検出されて、賞球払出し機構により検出された個数だけの賞球が払出される。また、球数検出センサＢ及び球数検出センサＣを通過するパチンコ球の合計数が１０個になると、開閉扉２６を閉じる信号が発せられて、開閉ソレノイド３２の励磁が終了し、プランジャ３３が進長して図８に示す状態に戻って、第１ラウンドを終了する。
【００３７】
続いてラウンド継続信号により第２ラウンドが開始する。第２ラウンドはラウンド継続信号に基づいて、第１ラウンドと同様に開閉ソレノイド３２が励磁されて開閉扉２６が回転転倒し、大入賞口２ａを開口する。このようにして、ラウンド継続信号に基づいて最大１６ラウンドまで大当たり状態が繰り返される。なお、開閉扉２６が傾倒して大入賞口２ａが開口しても、球数検出センサＣがパチンコ球を検出しない場合には、ラウンド継続信号が発生しないために、次のラウンドを継続することができず大当たり状態が終了する。
【００３８】
一方、普通電役６の振分けレバー６１は、図２において入賞球通路Ｙを塞いでアウト球通路Ｘにパチンコ球を通過するように左側に傾動している。そして、入賞装置２に設けたパチンコ球検出センサ１２をパチンコ球が通過すると、抽選が行なわれる。当たりの結果が得られると、電役ソレノイド６２が短時間励磁する。これにより図１２に示すように、電役プランジャ６３が退縮して電役連係片６４が回転し、振分けレバー６１が入賞球通路Ｙを開く。この入賞球通路Ｙが流入可能な短時間の間にパチンコ球が入賞すると、入賞球通路Ｙ内に設けた図示しない球検出センサによって検出されて大当たりの抽選が行なわれる。
【００３９】
このように、この実施の形態の入賞装置２では、大入賞口２ａの他に普通入賞口１０ｂ、１０ｃ、普通電役６及び普通電役６の抽選を行なうパチンコ球検出センサ１２をも一体的に設けているため、パチンコ機の構造を簡素にできてパチンコ機への組付けを容易に行なうことができる。
【図面の簡単な説明】
【図１】遊技盤の概略正面図
【図２】一部切欠正面図
【図３】一部切欠平面図
【図４】図３のＡ−Ａ線切断断面図
【図５】図３のＢ−Ｂ線切断断面図
【図６】図３のＣ−Ｃ線切断断面図
【図７】振分け板傾動機構の分離斜視図
【図８】大入賞口を閉じている状態の振分け板傾動機構を示す背面図
【図９】大入賞口を開いている状態の振分け板傾動機構を示す背面図
【図１０】同、振分け板が戻った状態の振分け板傾動機構を示す背面図
【図１１】図４において大入賞口が開いた状態を示す断面図
【図１２】普通電役の連結を示す機構図
【符号の説明】
ｂ…普通球通路
ｃ…ラウンド継続球通路
１…遊技盤
２…入賞装置
２ａ…大入賞口
７…大入賞口開閉機構
８…振分け板傾動機構
２２…ケース枠
２３…裏ケース
２６…開閉扉
３１…振分け板
３２…開閉ソレノイド
４２…フック
４４…振分け板作動レバー
４５…傾動解除レバー
【図１】
0004346123.tif 000002
【図２】
0004346123.tif 000003
【図３】
0004346123.tif 000004
【図４】
0004346123.tif 000005
【図５】
0004346123.tif 000006
【図６】
0004346123.tif 000007
【図７】
0004346123.tif 000008
【図８】
0004346123.tif 000009
【図９】
0004346123.tif 000010
【図１０】
0004346123.tif 000011
【図１１】
0004346123.tif 000012
【図１２】
0004346123.tif 000013